【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子における負荷変動を反映した負荷変動反映画像信号を、本露光の前に取得する負荷変動反映画像信号取得手段と、
前記撮像素子から撮像信号が出力されていない期間に、前記撮像素子におけるオプティカルブラック領域にあるクランプ位置を変更して、新たなクランプ位置を設定するクランプ位置設定手段と、
前記クランプ位置設定手段により設定されたクランプ位置の信号を基準として、前記負荷変動反映画像信号に対するクランプ動作を行う負荷変動反映画像処理手段と、
前記撮像素子に本露光された被写体像に基づく撮像信号と、前記負荷変動反映画像信号との差分を示す差分信号を生成する差分信号生成手段と、
前記クランプ位置設定手段により設定されたクランプ位置を、前記オプティカルブラック領域の元の位置に再設定するクランプ位置再設定手段と、
前記クランプ位置再設定手段により再設定されたクランプ位置の信号を基準として、前記差分信号生成手段により生成された差分信号に対するクランプ動作を行う撮像信号処理手段と、
を有することを特徴とする撮像装置。
【請求項２】
前記負荷変動反映画像信号をデジタル信号として記録媒体に記録する記録手段と、
前記撮像素子に本露光された被写体像に基づく撮像信号が、前記撮像素子から出力されるタイミングに同期して、前記記録手段によりデジタル信号として記録された負荷変動反映画像信号を、アナログ信号に変換する変換手段とを有し、
前記差分信号生成手段は、前記撮像素子に本露光された被写体像に基づく撮像信号と、前記変換手段によりアナログ信号に変換された負荷変動反映画像信号との差分を示す差分信号を生成することを特徴とする請求項１に記載の撮像装置。
【請求項３】
前記負荷変動反映画像信号を用いて、オプティカルブラック領域における画素値の、前記撮像素子の負荷変動に基づく変動量を導出する導出手段を有し、
前記差分信号生成手段は、前記導出手段により導出された変動量が、予め定められた値より大きい場合に、前記撮像素子に本露光された被写体像に基づく撮像信号と、前記負荷変動反映画像信号との差分を示す差分信号を生成することを特徴とする請求項１又は２に記載の撮像装置。
【請求項４】
前記負荷変動反映画像処理手段は、水平走査期間における１本以上の前記負荷変動反映画像信号を処理することを特徴とする請求項１〜３の何れか１項に記載の撮像装置。
【請求項５】
撮像素子における負荷変動を反映した負荷変動反映画像信号を、本露光の前に取得する負荷変動反映画像信号取得ステップと、
前記撮像素子から撮像信号が出力されていない期間に、前記撮像素子におけるオプティカルブラック領域にあるクランプ位置を変更して、新たなクランプ位置を設定するクランプ位置設定ステップと、
前記クランプ位置設定ステップにより設定されたクランプ位置の信号を基準として、前記負荷変動反映画像信号に対するクランプ動作を行う負荷変動反映画像処理ステップと、
前記撮像素子に本露光された被写体像に基づく撮像信号と、前記負荷変動反映画像信号との差分を示す差分信号を生成する差分信号生成ステップと、
前記クランプ位置設定ステップにより設定されたクランプ位置を、前記オプティカルブラック領域の元の位置に再設定するクランプ位置再設定ステップと、
前記クランプ位置再設定ステップにより再設定されたクランプ位置の信号を基準として、前記差分信号生成ステップにより生成された差分信号に対するクランプ動作を行う撮像信号処理ステップと、
を有することを特徴とする撮像処理方法。
【手続補正２】
【補正対象書類名】明細書
【補正対象項目名】発明の名称
【補正方法】変更
【補正の内容】
【発明の名称】撮像装置及び撮像処理方法
【手続補正３】
【補正対象書類名】明細書
【補正対象項目名】０００１
【補正方法】変更
【補正の内容】
【０００１】
本発明は、撮像装置及び撮像処理方法に関し、特に、撮像信号に対する処理の基準となる基準電位をクランプするために用いて好適なものである。
【手続補正４】
【補正対象書類名】明細書
【補正対象項目名】００２０
【補正方法】変更
【補正の内容】
【００２０】
本発明の撮像装置は、撮像素子と、前記撮像素子における負荷変動を反映した負荷変動反映画像信号を、本露光の前に取得する負荷変動反映画像信号取得手段と、前記撮像素子から撮像信号が出力されていない期間に、前記撮像素子におけるオプティカルブラック領域にあるクランプ位置を変更して、新たなクランプ位置を設定するクランプ位置設定手段と、前記クランプ位置設定手段により設定されたクランプ位置の信号を基準として、前記負荷変動反映画像信号に対するクランプ動作を行う負荷変動反映画像処理手段と、前記撮像素子に本露光された被写体像に基づく撮像信号と、前記負荷変動反映画像信号との差分を示す差分信号を生成する差分信号生成手段と、前記クランプ位置設定手段により設定されたクランプ位置を、前記オプティカルブラック領域の元の位置に再設定するクランプ位置再設定手段と、前記クランプ位置再設定手段により再設定されたクランプ位置の信号を基準として、前記差分信号生成手段により生成された差分信号に対するクランプ動作を行う撮像信号処理手段と、を有することを特徴とする。
【手続補正５】
【補正対象書類名】明細書
【補正対象項目名】００２１
【補正方法】変更
【補正の内容】
【００２１】
本発明の撮像処理方法は、撮像素子における負荷変動を反映した負荷変動反映画像信号を、本露光の前に取得する負荷変動反映画像信号取得ステップと、前記撮像素子から撮像信号が出力されていない期間に、前記撮像素子におけるオプティカルブラック領域にあるクランプ位置を変更して、新たなクランプ位置を設定するクランプ位置設定ステップと、前記クランプ位置設定ステップにより設定されたクランプ位置の信号を基準として、前記負荷変動反映画像信号に対するクランプ動作を行う負荷変動反映画像処理ステップと、前記撮像素子に本露光された被写体像に基づく撮像信号と、前記負荷変動反映画像信号との差分を示す差分信号を生成する差分信号生成ステップと、前記クランプ位置設定ステップにより設定されたクランプ位置を、前記オプティカルブラック領域の元の位置に再設定するクランプ位置再設定ステップと、前記クランプ位置再設定ステップにより再設定されたクランプ位置の信号を基準として、前記差分信号生成ステップにより生成された差分信号に対するクランプ動作を行う撮像信号処理ステップと、を有することを特徴とする。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
本発明では、撮像素子における負荷変動が撮像信号に与える影響を低減することができる。
【手続補正８】
【補正対象書類名】明細書
【補正対象項目名】００６２
【補正方法】変更
【補正の内容】
【００６２】
撮像素子２０４から出力された撮像信号は、バッファ回路２０６と、コンデンサ２０７とを通して比較器２０８へ送信される。比較器２０８は、本露光により得られた撮像信号と、Ｄ／Ａ変換器２１８から送信された電源変動画像信号との差分を示す差分撮像信号ＲＳが出力される。このとき、Ｄ／Ａ変換器２１８から送信される電源変動画像信号は、本露光により得られた撮像信号と電圧レベルが交差しないように、予めオフセットが加えられている。
以上のように、本実施形態では、例えば、ステップＳ１３においてＣＰＵ２１７及びＤ／Ａ変換器２１８が行う処理により変換手段が実現される。また、例えば、ステップＳ１３において比較器２０８が行う処理により差分信号生成手段が実現される。また、例えば、差分撮像信号ＲＳを用いて、差分信号が実現される。